(57)【要約】【課題】  画素の劣化が激しい色ほどモノクロモードでの輝度を低下させ、ＲＧＢ間での画素の劣化の差に起因する色ずれを抑制できるフルカラーＥＬディスプレイを提供する。【解決手段】  信号選択部(31)はカラーモードでは外部からの映像情報(L)を、モノクロモードでは発光遮断部(35)からの映像信号(M)を、駆動部(2)への映像信号(N)として選択する。通電管理部(32)は駆動部(2)への映像信号(N)を監視し、表示パネル(1)上のＲＧＢそれぞれの画素全体の通電時間又は通電電気量の製造時からの累計を記憶する。劣化情報決定部(33)はその通電時間又は通電電気量の累計からＲＧＢそれぞれに対する劣化情報を決める。発光中止色選択部(34)はＲＧＢ間で劣化情報を比較し、それらの差が所定の閾値を超えるとき、画素の劣化の激しい色を発光中止色に設定する。発光遮断部(35)は外部からの映像情報(L)の内、発光中止色の画素の輝度を零に変換する。【選択図】        図1
2005037783.tif 000002
【特許請求の範囲】
【請求項１】
発光物質を含む発光層と、その発光層を間に挟む電極と、を有する三原色の画素、を並置した表示パネル；及び、
外部から映像信号を受信し、その映像信号により指定される前記画素の輝度を解読し、その輝度に対応する駆動電流をその画素に対し供給するための駆動部；
を具備するフルカラーＥＬディスプレイ、に搭載され、外部から入力される映像情報を前記映像信号に変換するためのディスプレイ制御装置であり；
前記映像信号に基づき前記画素の劣化を三原色のそれぞれについて評価し、その評価値を三原色のそれぞれに対する劣化情報として決定するための劣化評価部；及び、
外部からモード選択信号を受信し、そのモード選択信号がモノクロモードを指示するとき、前記映像情報により指定される前記画素の輝度をその画素の色に対する前記劣化情報に基づき低下させ、前記映像信号として設定するための輝度調整部；
を有するモノクロモード付フルカラーＥＬディスプレイ制御装置。
【請求項２】
前記劣化評価部が、
前記画素のそれぞれの通電時間又は通電電気量を前記映像信号に基づき計算し、その通電時間又は通電電気量を前記画素の色別に前記フルカラーＥＬディスプレイの製造時から累計するための通電管理部；及び、
前記画素の色別に通電時間−輝度特性又は通電電気量−輝度特性を示す表又は近似式を記憶し、その表又は近似式から前記通電時間又は前記通電電気量の累計に対応する値を求め、その値を前記劣化情報として決定するための劣化情報決定部；
を有する、請求項１記載のモノクロモード付フルカラーＥＬディスプレイ制御装置。
【請求項３】
前記輝度調整部が、
前記劣化情報に基づき、三原色のいずれか一色又は二色を発光中止色として選択するための発光中止色選択部；
前記発光中止色の前記画素に対し前記映像情報により指定される輝度を実質的に零に変え、前記駆動部への映像信号として設定するための発光遮断部；及び、
前記モード選択信号がカラーモードを指示するとき、前記映像情報を前記駆動部への映像信号として選択し、前記モード選択信号がモノクロモードを指示するとき、前記発光遮断部から送出される映像信号を前記駆動部への映像信号として選択するための信号選択部；
を有する、請求項１記載のモノクロモード付フルカラーＥＬディスプレイ制御装置。
【請求項４】
前記輝度調整部が、
前記劣化情報に基づき前記画素の色別に輝度の減衰量を決定するための減衰量決定部；
前記映像情報により前記画素に対し指定される輝度を前記画素の色別に前記減衰量だけ低下させ、前記駆動部への映像信号として設定するための減衰部；及び、
前記モード選択信号がカラーモードを指示するとき、前記映像情報を前記駆動部への映像信号として選択し、前記モード選択信号がモノクロモードを指示するとき、前記減衰部から送出される映像信号を前記駆動部への映像信号として選択するための信号選択部；
を有する、請求項１記載のモノクロモード付フルカラーＥＬディスプレイ制御装置。
【請求項５】
前記輝度調整部が、
前記映像情報に乗算され、その映像情報により示される映像の色調を変化させるためのマスキング係数、を算定するための演算部であり、特に前記モード選択信号がモノクロモードを指示するとき、前記劣化情報に基づき前記マスキング係数を調整するためのマスキング係数算定部；及び、
前記映像情報に前記マスキング係数を乗算し、その乗算結果を前記駆動部への映像信号として設定するためのマスキング処理部；
を有する、請求項１記載のモノクロモード付フルカラーＥＬディスプレイ制御装置。
【請求項６】
前記輝度調整部が、
前記映像情報に対するガンマ補正のパラメータを算定するための演算部であり、特に前記モード選択信号がモノクロモードを指示するとき、前記劣化情報に基づき前記パラメータを前記画素の色ごとに変化させるためのパラメータ算定部；及び、
前記パラメータ算定部により算定された前記パラメータに基づき前記映像情報に対しガンマ補正を実行し、その補正結果を前記駆動部への映像信号として設定するためのガンマ補正部；
を有する、請求項１記載のモノクロモード付フルカラーＥＬディスプレイ制御装置。
【請求項７】
発光物質を含む発光層と、その発光層を間に挟む電極と、を有する三原色の画素、を並置した表示パネル；
外部から映像信号を受信し、その映像信号により指定される前記画素の輝度を解読し、その輝度に対応する駆動電流をその画素に対し供給するための駆動部；及び、
外部から入力される映像情報を前記映像信号に変換するためのディスプレイ制御装置であり；前記映像信号に基づき前記画素の劣化を三原色のそれぞれについて評価し、その評価値を三原色のそれぞれに対する劣化情報として決定するための劣化評価部と；外部からモード選択信号を受信し、そのモード選択信号がモノクロモードを指示するとき、前記映像情報により指定される前記画素の輝度をその画素の色に対する前記劣化情報に基づき低下させ、前記映像信号として設定するための輝度調整部と；を有するモノクロモード付フルカラーＥＬディスプレイ制御装置；
を具備するフルカラーＥＬディスプレイ。
【請求項８】
外部からモード選択信号を受信するステップ；
外部から映像情報を入力するステップ；
前記映像情報を駆動部への映像信号に変換するステップであり、特に前記モード選択信号がモノクロモードを指示するとき、表示パネル上に並置された三原色の画素に対し前記映像情報により指定される輝度、をその画素の色に対する劣化情報に基づき低下させ、前記映像信号として設定するステップ；
前記映像信号により指定される前記画素の輝度、に対応する駆動電流をその画素に対し前記駆動部により供給するステップ；及び、
前記映像信号に基づき前記画素の劣化を三原色のそれぞれについて評価し、その評価値をその色に対する前記劣化情報として決定するステップ；
を有する、モノクロモード付フルカラーＥＬディスプレイの色ずれ抑制方法。
【請求項９】
前記劣化情報を決定するステップが、
前記画素のそれぞれの通電時間又は通電電気量を前記映像信号に基づき計算し、その通電時間又は通電電気量を前記画素の色別に前記フルカラーＥＬディスプレイの製造時から累計するサブステップ；及び、
前記画素の色別に通電時間−輝度特性又は通電電気量−輝度特性を示す表又は近似式から前記通電時間又は前記通電電気量の累計に対応する値を求め、その値を前記劣化情報として決定するサブステップ；
を有する、請求項８記載のモノクロモード付フルカラーＥＬディスプレイの色ずれ抑制方法。
【請求項１０】
前記映像情報を前記駆動部への映像信号に変換するステップが、
前記劣化情報に基づき、三原色のいずれか一色又は二色を発光中止色として選択するサブステップ；
前記発光中止色の前記画素に対し前記映像情報により指定される輝度を実質的に零に変え、前記駆動部への映像信号として設定するサブステップ；及び、
前記モード選択信号がカラーモードを指示するとき、前記映像情報を前記映像信号として選択し、前記モード選択信号がモノクロモードを指示するとき、前記映像情報により指定される前記画素の輝度の内、前記発光中止色の画素の輝度を零に変換した映像信号、を前記駆動部への映像信号として選択するサブステップ；
を有する、請求項８記載のモノクロモード付フルカラーＥＬディスプレイの色ずれ抑制方法。
【請求項１１】
前記映像情報を前記駆動部への映像信号に変換するステップが、
前記劣化情報に基づき前記画素の色別に輝度の減衰量を決定するサブステップ；
前記映像情報により指定される前記画素の輝度を前記画素の色別に前記減衰量だけ低下させ、前記駆動部への映像信号として設定するサブステップ；及び、
前記モード選択信号がカラーモードを指示するとき、前記映像情報を前記映像信号として選択し、前記モード選択信号がモノクロモードを指示するとき、前記映像情報により指定される前記画素の輝度を前記減衰量だけ低下させた映像信号、を前記駆動部への映像信号として選択するサブステップ；
を有する、請求項８記載のモノクロモード付フルカラーＥＬディスプレイの色ずれ抑制方法。
【請求項１２】
前記映像情報を前記駆動部への映像信号に変換するステップが、
前記映像情報に乗算され、その映像情報により示される映像の色調を変化させるためのマスキング係数、を算定するサブステップであり、特に前記モード選択信号がモノクロモードを指示するとき、前記劣化情報に基づき前記マスキング係数を調整するサブステップ；及び、
前記映像情報に前記マスキング係数を乗算し、その乗算結果を前記駆動部への映像信号として設定するサブステップ；
を有する、請求項８記載のモノクロモード付フルカラーＥＬディスプレイの色ずれ抑制方法。
【請求項１３】
前記映像情報を前記駆動部への映像信号に変換するステップが、
前記映像情報に対するガンマ補正のパラメータを算定するサブステップであり、特に前記モード選択信号がモノクロモードを指示するとき、前記劣化情報に基づき前記パラメータを前記画素の色ごとに変化させるサブステップ；及び、
算定された前記パラメータに基づき前記映像情報に対しガンマ補正を実行し、その補正結果を前記駆動部への映像信号として設定するサブステップ；
を有する、請求項８記載のモノクロモード付フルカラーＥＬディスプレイの色ずれ抑制方法。
【発明の詳細な説明】
【技術分野】
【０００１】
本発明は、無機ＥＬ（Electroluminescence）ディスプレイ又は有機ＥＬディスプレイに関し、特にその表示パネルの劣化による色ずれを抑制する方法に関する。
【背景技術】
【０００２】
ＥＬとは、「電圧の印加により発光する」という発光物質を利用した画像表示技術をいう。特に、発光物質が無機物であるものを無機ＥＬといい、有機物であるものを有機ＥＬという。ＥＬディスプレイは、ＥＬを利用した画像表示装置である。その表示パネル上には、発光物質の層（発光層）を電極で挟んだ素子（発光素子）が並置される。表示パネルの画素は一つ以上の発光素子を含む。ＥＬディスプレイは自発光型である。特に有機ＥＬディスプレイは、高輝度、高コントラスト、広視野角、高い応答速度、極薄型、及び低消費電力という点で、液晶ディスプレイより優れる。
ＥＬディスプレイは主に、携帯電話を始めとするモバイル電子機器に搭載されるための小型ディスプレイとして利用される。更に、照明、及びＴＶ等の大型ディスプレイとしての利用も期待される。
【０００３】
ディスプレイは一般にエリアカラー型とフルカラー型とに大別される。ＥＬディスプレイにも両型がある。
エリアカラーディスプレイは、比較的広い単色発光領域を一般に複数組み合わせたディスプレイである。それぞれの単色発光領域には、単色の画素が配置される。エリアカラーディスプレイは、例えば車載ディスプレイ又は車内の案内表示等、比較的単純なパターンの表示に利用される。
フルカラーディスプレイは、カラーＴＶ受像器の画面と同様、赤（Ｒ)、緑（Ｇ)、青（Ｂ）の三原色の画素を画面上に並置したディスプレイであり、精細なカラー画像の表示に利用される。
【０００４】
エリアカラーＥＬディスプレイはモバイル電子機器に搭載されるとき、例えば宛先／着信電話番号、通信状態、動作モード、電池の残存容量、又はエラーコード等、比較的単純なパターンの表示用サブモニタとして利用される。
フルカラーＥＬディスプレイはモバイル電子機器に搭載されるとき、例えばインターネット接続画面（ホームページ）又はＣＣＤによる画像等、精細なカラー画像の表示用メインモニタとして利用される。そのフルカラーＥＬディスプレイは一般に、本来のカラー表示機能（カラーモード）に加え、モノクロ表示機能（モノクロモード）を合わせ持つ。モバイル電子機器はその用途に合わせ、フルカラーＥＬディスプレイに対しカラーモード又はモノクロモードを指示する。モバイル電子機器は例えば、上記の比較的単純なパターンを表示するときモノクロモードを選択し、それらのパターンをモノクロで表示する。
【０００５】
フルカラーＥＬディスプレイでのカラー表示方式には例えば、三色発光方式、フィルタ方式、及び色変換方式がある。
三色発光方式では三原色の画素の発光層が、赤色発光、緑色発光、青色発光の三種類の発光物質により別々に構成される。
フィルタ方式では白色光を発光する物質により画素全体で共通の発光層が構成される。更に、その発光層の白色光が三原色のカラーフィルタで色づけされ、三原色の画素が構成される。
色変換方式では青色光を発光する物質により画素全体で共通の発光層が構成される。更に、その発光層の青色光の一部が赤色蛍光膜又は緑色蛍光膜で赤色光又は緑色光に変換される。それらの変換光と発光層自体からの青色光とにより、三原色の画素が構成される。
【０００６】
三色発光方式では他の方式とは異なり、三原色の画素から発した光がフィルタ等を透過することなく外部へ放出される。従って、三色発光方式は特に輝度又は発光効率の点で他の方式より有利である。
しかし、ＥＬでは、発光層の劣化による輝度の低下傾向がその発光層の発する光の色（Ｒ、Ｇ、Ｂ）ごとに大きく異なる。従って、三色発光方式によるフルカラーＥＬディスプレイでは、輝度の経年変化が画素の色ごとに大きく異なる。それ故、長期間の使用がホワイトバランスを大きく崩し、すなわち色ずれを引き起こす。
【０００７】
発光層の劣化は主に、通電時間、通電電気量、及び通電時の温度に依存する。通電時間及び通電電気量はフィルタ方式及び色変換方式でも、画素の色ごとに一般に異なる。従って、フィルタ方式又は色変換方式によるフルカラーＥＬディスプレイでも、長期間の使用が色ずれを起こし得る。
【０００８】
フルカラーＥＬディスプレイについて発光層の劣化による画素の輝度の低下を、以下、その画素の劣化という。
従来のフルカラーＥＬディスプレイには、画素の劣化を次のように、その画素に対する駆動電圧の上昇で補償するものが知られる（特許文献１参照)。
図10は、そのフルカラーＥＬディスプレイの画素劣化補償システムを示すブロック図である。
そのフルカラーＥＬディスプレイは有機ＥＬパネルをアクティブマトリクス方式で駆動する。図10には表示パネル上の画素一つ当たりの等価回路の一例Pが示される。この等価回路Pは駆動方式として、アクティブマトリクス方式を採用する。アクティブマトリクス方式では画素PがそれぞれＴＦＴ（薄膜トランジスタ）T1、T2を内蔵する。駆動部（図示せず）は制御信号線S1、S2を通し、画素PのＴＦＴT1、T2のオン／オフを制御する。
【０００９】
画素PのＴＦＴT1、T2が共にオンするとき、電圧調節部100から画素Pの発光素子Elへ駆動電圧Vdが印加される。それにより、発光素子Elが発光する。
電圧調節部100は、画素Pの発光素子Elに対し印加すべき駆動電圧Vdを次のように調節する。ＴＦＴT1、T2が共にオン状態にあるとき、スイッチ101が接続を第一の接点aから第二の接点bへ切り換える。それにより、第一の定電流源102から発光素子Elへ第一の定電流I1が流れる。電圧測定部103はそのとき、発光素子Elの両端間電圧Vを測定し、測定値Vを電圧調節部100へ通知する。電圧調節部100はその測定値Vと第一の定電流I1とに基づき、発光素子Elの等価抵抗値を割り出す。更に、その等価抵抗値、及び所定の輝度に対応する駆動電流に基づき、駆動電圧Vdを決定する。発光素子Elは劣化により等価抵抗値を増大させるので、一定の駆動電圧Vdに対し輝度を低下させる。電圧調節部100は等価抵抗値の増分から輝度の低下量を算定し、その低下の補償に必要な高さだけ駆動電圧Vdを上昇させる。こうして、画素Pの劣化が駆動電圧Vdの上昇により補償される。
【００１０】
発光素子Elの等価抵抗値は発光素子Elすなわち表示パネルの温度に依存する。温度測定部104は次のように表示パネルの温度を測定する。表示パネル上の画像表示領域外に配置された発光素子（以下、温度検知素子という））Exに対し、第二の定電流源105から第二の定電流I2を流す。温度測定部104はそのとき温度検知素子Exの両端間電圧Vxを測定し、その測定値Vxと第二の定電流I2とに基づき、温度検知素子Exの等価抵抗値を算定する。更に、温度検知素子Exの抵抗−温度特性から温度検知素子Ex、すなわち表示パネルの温度Tを算定する。
こうして算定された表示パネルの温度Tは電圧調節部100へ通知される。電圧調節部100はその温度Tに基づき発光素子Elの等価抵抗値を補正する。それにより、駆動電圧Vdが表示パネルの温度Tに応じ、適切に調節される。
【００１１】
図10には、アクティブマトリクス方式での駆動に対する画素劣化補償システムが示される。一方、パッシブマトリクス方式での駆動に対しても同様に、発光素子の一定電流導通時での両端間電圧に基づき、その発光素子に対し印加されるべき駆動電圧が決定される（特許文献１図6参照)。それにより、画素の劣化が駆動電圧の上昇で補償される。
【特許文献１】特開２００２−２２９５１３号公報
【発明の開示】
【発明が解決しようとする課題】
【００１２】
上記のような従来のフルカラーＥＬディスプレイによる画素劣化補償システムは、劣化の激しい画素ほど駆動電圧を上昇させ、劣化による輝度の低下を補償する。しかし、駆動電圧の上昇は画素の劣化を促進させる。その結果、ホワイトバランスを良好に維持できる期間、すなわち色ずれを効果的に抑制できる期間を更に延長させることが困難であった。
【００１３】
本発明は、モノクロモードでの動作期間中画素の劣化が激しい色ほど輝度を低下させ、それにより三原色間での画素の劣化の差に起因する色ずれを長期間にわたり効果的に抑制できるフルカラーＥＬディスプレイの提供を目的とする。
【課題を解決するための手段】
【００１４】
本発明によるモノクロモード付フルカラーＥＬディスプレイ制御装置（以下、制御装置と略す）は、(a)  発光物質を含む発光層と、その発光層を間に挟む電極と、を有する三原色の画素、を並置した表示パネル；及び、(b)  外部から映像信号を受信し、その映像信号により指定される画素の輝度を解読し、その輝度に対応する駆動電流をその画素に供給するための駆動部；を具備するフルカラーＥＬディスプレイに搭載される。このフルカラーＥＬディスプレイ制御装置は、外部から入力される映像情報を駆動部への映像信号に変換するためのディスプレイ制御装置であり；
(A)  その映像信号に基づき画素の劣化を三原色のそれぞれについて評価し、その評価値を三原色のそれぞれに対する劣化情報として決定するための劣化評価部；及び、
(B)  外部からモード選択信号を受信し、そのモード選択信号がモノクロモードを指示するとき、外部から入力される映像情報により指定される画素の輝度をその画素の色に対する劣化情報に基づき低下させ、駆動部への映像信号として設定するための輝度調整部；を有する。
【００１５】
ここで、モノクロモードとは、表示パネルによる表示を所定の単色（例えばグレー）に揃える機能をいう。フルカラーＥＬディスプレイは一般に、カラーモードに加え、モノクロモードを合わせ持つ。例えば、フルカラーＥＬディスプレイを搭載するモバイル電子機器はその用途に合わせ、そのフルカラーＥＬディスプレイに対しカラーモード又はモノクロモードを指示する。モバイル電子機器は例えば、宛先／着信電話番号、通信状態、動作モード、電池の残存容量、若しくはエラーコード等、比較的単純なパターンを表示するとき、モノクロモードを選択する。それにより、それらの単純なパターンはモノクロで表示される。
【００１６】
上記の本発明による制御装置は、外部から入力される映像情報に基づき、表示パネル上の画素の劣化を三原色のそれぞれについて評価する。モノクロモードが選択されるとき、その制御装置は駆動部へ指定すべき画素の輝度を、その画素の色について評価された画素の劣化に応じ低下させる。それにより、画素の劣化が激しい色ほどモノクロモードでの輝度を低下させ、その色の画素の劣化を抑制できる。
三原色間での画素の劣化の差はカラーモードでは拡大する。しかし、モノクロモードでは縮小する。こうして、上記の本発明による制御装置は長期間にわたり三原色間での画素の劣化の差の拡大を抑え、ホワイトバランスを良好に維持できる。すなわち、長期間にわたり、色ずれを効果的に抑制できる。
【００１７】
上記の本発明による制御装置では、劣化評価部が、
(A)  画素のそれぞれの通電時間又は通電電気量を駆動部への映像信号に基づき計算し、その通電時間又は通電電気量を画素の色別にフルカラーＥＬディスプレイの製造時から累計するための通電管理部；及び、
(B)  画素の色別に通電時間−輝度特性又は通電電気量−輝度特性を示す表又は近似式を記憶し、その表又は近似式から通電時間又は通電電気量の累計に対応する値を求め、その値を劣化情報として決定するための劣化情報決定部；を有しても良い。劣化評価部はそのとき更に、フルカラーＥＬディスプレイの動作時での画素若しくは表示パネルの温度、又は環境温度を検出し、それらの温度に基づき劣化情報を補正しても良い。
【００１８】
画素の劣化は、その画素の色、通電時間、通電電気量、及び温度に依存する。その依存性は予め実験により計測され、好ましくは、三原色のそれぞれに対する通電時間−輝度特性表又は通電電気量−輝度特性表として劣化評価部により記憶される。それらの特性表は例えば、一定の駆動電圧の下での通電時間又は通電電気量の増大と輝度の減衰との関係を示す。ここで、それらの特性表に代え、上記の依存性を示す近似式が記憶されても良い。
劣化評価部はそれらの特性表又は近似式から、画素の色ごとに通電時間又は通電電気量の累計に対応する値を求め、その値をその色に対する劣化情報として決定する。ここで、その劣化情報は例えば、一定の駆動電圧下での輝度が製造時の輝度（以下、初期輝度という）から減衰した割合（以下、減衰率という）で表される。そのとき、劣化情報すなわち減衰率が大きいほど、画素の劣化は激しい。
こうして、劣化評価部は画素の劣化を三原色別に評価できる。その評価は特にフルカラーＥＬディスプレイの製造時、三原色間での画素の劣化の差がわずかなうちから開始されても良い。それにより三原色間での画素の劣化の差を小さく維持できるので、ホワイトバランスが良好に維持される。
【００１９】
上記の本発明による制御装置では、輝度調整部が、
(A)  劣化情報に基づき、三原色のいずれか一色又は二色を発光中止色として選択するための発光中止色選択部；
(B)  外部から入力される映像情報により発光中止色の画素に対し指定される輝度を実質的に零に変え、駆動部への映像信号として設定するための発光遮断部；及び、
(C)  (a)  モード選択信号がカラーモードを指示するとき、外部から入力される映像情報を駆動部への映像信号として選択し、(b)  モード選択信号がモノクロモードを指示するとき、発光遮断部から送出される映像信号を駆動部への映像信号として選択するための信号選択部；を有しても良い。
そのとき、モノクロモードでは発光中止色の画素が実質的に発光しないので、その劣化が抑制される。従って、画素の劣化が激しい色を発光中止色に設定することにより、モノクロモードでは三原色間での画素の劣化の差が縮小される。こうして、三原色間での画素の劣化の差を小さく維持できるので、色ずれを効果的に抑制できる。
【００２０】
輝度調整部が、上記とは別に、
(A)  劣化情報に基づき、画素の色別に輝度の減衰量を決定するための減衰量決定部；
(B)  外部から入力される映像情報により指定される画素の輝度をその画素の色別に上記の減衰量だけ低下させ、駆動部への映像信号内に設定するための減衰部；及び、
(C)  (a)  モード選択信号がカラーモードを指示するとき、外部から入力される映像情報を駆動部への映像信号として選択し、(b)  モード選択信号がモノクロモードを指示するとき、減衰部から送出される映像信号を駆動部への映像信号として選択するための信号選択部；を有しても良い。
そのとき、画素の劣化が激しい色ほど輝度の減衰量を大きく設定することにより、モノクロモードでは三原色間での画素の劣化の差が縮小される。特にその減衰量は三原色間での画素の劣化の差に応じ調節され得る。こうして、三原色間での画素の劣化の差を高精度に制御し、小さく維持できるので、色ずれを効果的に抑制できる。
【００２１】
輝度調整部が、上記とは更に別に、
(A)  外部から入力される映像情報に乗算され、その映像情報により示される映像の色調を変化させるためのマスキング係数、を算定するための演算部であり、特にモード選択信号がモノクロモードを指示するとき、劣化情報に基づきマスキング係数を調整するためのマスキング係数算定部；及び、
(B)  上記の映像情報にマスキング係数を乗算し、その乗算結果を駆動部への映像信号として設定するためのマスキング処理部；を有しても良い。
その他に、輝度調整部が、
(A)  外部から入力される映像情報に対するガンマ補正のパラメータを算定するための演算部であり、特にモード選択信号がモノクロモードを指示するとき、劣化情報に基づきガンマ補正のパラメータを画素の色ごとに変化させるためのパラメータ算定部；及び、
(B)  パラメータ算定部により算定されたガンマ補正のパラメータに基づき上記の映像情報に対しガンマ補正を実行し、その補正結果を駆動部への映像信号として設定するためのガンマ補正部；を有しても良い。
【００２２】
モノクロモードでは、モノクロ映像情報が外部から制御装置へ入力される場合と、カラー映像情報が外部から制御装置へ入力され、制御装置がそのカラー映像情報をモノクロ化する場合とがある。後者の場合、制御装置は一般に、モノクロ化をマスキング処理又はガンマ補正で実現する。
本発明による制御装置では上記の輝度調整部が、マスキング処理又はガンマ補正によるモノクロ化に画素の劣化を反映させる。それにより、画素の劣化が激しい色ほどモノクロモードでの輝度を低下させ、その色について画素の劣化を抑制できる。
【００２３】
ここで、カラー映像情報に対するマスキング処理とは、そのカラー映像情報により示される映像の元の色調が表示パネルにより良好に再現されるように、そのカラー映像情報の色調を表示パネルの色特性に応じ補正する処理をいう。具体的には、三原色の画素一組ごとに、カラー映像情報により指定される三原色の輝度の組合せLi（i＝R,G,B）が所定の3×3行列（マスキング係数）Mij（i,j＝R,G,B）と乗算され、新たな組合せNiに変換される：Ni＝Σj Mij×Lj（i＝R,G,B)。
マスキング処理によるモノクロ化は例えば、三原色の画素の組全体で変換後の輝度比NR：NG：NBを実質的に一定に保つようにマスキング係数Mijを調整することで実現される。
【００２４】
映像情報に対するガンマ補正とは、その映像情報の作成系での入力信号により示される輝度とその映像情報により示される輝度との関係（以下、映像情報作成系の輝度特性という)、及び駆動部への映像信号により示される輝度と表示パネル上での実際の輝度との関係（以下、表示パネルの輝度特性という）に基づき、その映像情報の作成系での入力信号により示される輝度と表示パネルでの実際の輝度との関係を線形に補正するための処理をいう。映像情報作成系の輝度特性は一般に非線形であり、次式で表される：L≒LI^γI。ここで、映像情報作成系での入力信号により示される輝度をLI、映像情報により示される輝度をL、及び映像情報作成系のガンマ係数をγIとする。一方、表示パネルの輝度特性も一般に非線形であり、次式で表される：LO≒N^γO。ここで、駆動部への映像信号により示される輝度をN、表示パネルでの実際の輝度をLO、及び表示パネルのガンマ係数をγOとする。そのとき上記のガンマ補正部は、映像情報により示される輝度Lを次式に基づき、駆動部への映像信号により示される輝度Nへ変換する：N≒L^(1／(γI×γO))。それにより、映像情報作成系での入力信号により示される輝度LIと表示パネルでの実際の輝度LOとの関係を線形に補正する：LO≒LI。
【００２５】
ガンマ補正部は輝度変換の関数形、すなわち映像情報により示される輝度Lと駆動部への映像信号により示される輝度Nとの関係式N＝f(L)の関数形を、ガンマ補正のパラメータに基づき決定する。ＥＬディスプレイでは特に、表示パネルの輝度特性が三原色ごとに大きく異なる。例えば上記のガンマ係数γOが三原色ごとに大きく異なる。上記のパラメータ算定部はガンマ補正のパラメータを三原色ごとに変化させ、ガンマ補正部は上記の輝度変換を、三原色ごとに異なる関数形で行う。それにより、カラーモードでは上記のガンマ補正の精度が高く維持される。一方、モノクロモードでは例えば、駆動部への映像信号により示される三原色それぞれの輝度Ni（i＝R,G,B）について、三原色の画素の組全体で輝度比NR：NG：NBが実質的に一定に保たれる。すなわち、ガンマ補正によるモノクロ化が実現される。
【００２６】
本発明による上記の輝度調整部はマスキング処理又はガンマ補正によるモノクロ化について、例えば変換後の輝度比NR：NG：NBを調節し、画素の劣化が激しい色ほど比率を低下させる。それにより、画素の劣化が激しい色ほどモノクロモードでの輝度を低下させ、その色について画素の劣化を抑制できる。
【００２７】
本発明によるモノクロモード付フルカラーＥＬディスプレイの色ずれ抑制方法は、
(A)  外部からモード選択信号を受信するステップ；
(B)  外部から映像情報を入力するステップ；
(C)  その映像情報を駆動部への映像信号に変換するステップであり、特にモード選択信号がモノクロモードを指示するとき、表示パネル上に並置された三原色の画素に対しその映像情報により指定される輝度をその画素の色に対する劣化情報に基づき低下させ、駆動部への映像信号として設定するステップ；
(D)  その映像信号により指定される画素の輝度、に対応する駆動電流をその画素に対し駆動部により供給するステップ；及び、
(E)  その映像信号に基づき画素の劣化を三原色のそれぞれについて評価し、その評価値をその色に対する劣化情報として決定するステップ；を有する。
【００２８】
上記の本発明による色ずれ抑制方法では、表示パネル上の画素の劣化が三原色ごとに監視される。フルカラーＥＬディスプレイに対しモノクロモードが選択されるとき、駆動部に対し指定されるべき画素の輝度がその画素の色について評価された画素の劣化に応じ低下する。それにより画素の劣化が激しい色ほどモノクロモードでの輝度が低下するので、その色について画素の劣化が抑制される。
三原色間での画素の劣化の差はカラーモードでは拡大する。しかし、モノクロモードでは縮小する。こうして、上記の本発明による色ずれ抑制方法では、長期間にわたり三原色間での画素の劣化の差の拡大が抑えられ、ホワイトバランスが良好に維持される。すなわち、長期間にわたり、色ずれが効果的に抑制される。
【００２９】
上記の本発明による色ずれ抑制方法では、劣化情報を決定するステップが、
(A)  画素のそれぞれの通電時間又は通電電気量を駆動部への映像信号に基づき計算し、その通電時間又は通電電気量を画素の色別にフルカラーＥＬディスプレイの製造時から累計するサブステップ；及び、
(B)  画素の色別に通電時間−輝度特性又は通電電気量−輝度特性を示す表又は近似式から通電時間又は通電電気量の累計に対応する値を求め、その値をその色に対する劣化情報として決定するサブステップ；を有しても良い。更に、フルカラーＥＬディスプレイの動作時での画素若しくは表示パネルの温度、又は環境温度を検出するサブステップ、及び、それらの温度に基づき劣化情報を補正するサブステップが追加されても良い。
【００３０】
画素の劣化の通電時間、通電電気量、及び温度に対する依存性は三原色ごとに予め実験により計測され、好ましくは、上記と同様な通電時間−輝度特性表又は通電電気量−輝度特性表として記憶される。それらの特性表に代え、上記の依存性を示す近似式が記憶されても良い。
それらの特性表又は近似式から、画素の色ごとに通電時間又は通電電気量の累計に対応する値がその色に対する劣化情報として決定される。その劣化情報は例えば上記と同様、一定の駆動電圧下での輝度の初期輝度に対する減衰率で表される。こうして、画素の劣化が三原色別に評価される。その評価は特にフルカラーＥＬディスプレイの製造時、三原色間での画素の劣化の差がわずかなうちから開始されても良い。それにより、三原色間での画素の劣化の差が小さく維持されるので、ホワイトバランスが良好に維持される。
【００３１】
上記の本発明による色ずれ抑制方法では、映像情報を駆動部への映像信号に変換するステップが、
(A)  三原色それぞれに対する劣化情報に基づき、三原色のいずれか一色又は二色を発光中止色として選択するサブステップ；
(B)  その発光中止色の画素に対し映像情報により指定される輝度を実質的に零に変え、駆動部への映像信号として設定するサブステップ；及び、
(C)  (a)  モード選択信号がカラーモードを指示するとき、外部から入力される映像情報を駆動部への映像信号として選択し、(b)  モード選択信号がモノクロモードを指示するとき、映像情報により指定される画素の輝度の内、発光中止色の画素の輝度を零に変換した映像信号を駆動部への映像信号として選択するサブステップ；を有しても良い。
そのとき、モノクロモードでは発光中止色の画素が実質的に発光しないので、その劣化が抑制される。従って、画素の劣化が激しい色を発光中止色に設定することにより、モノクロモードでは三原色間での画素の劣化の差が縮小される。こうして、三原色間での画素の劣化の差を小さく維持できるので、色ずれを効果的に抑制できる。
【００３２】
上記の本発明による色ずれ抑制方法では、映像情報を駆動部への映像信号に変換するステップが、上記とは別に、
(A)  三原色それぞれに対する劣化情報に基づき、画素の色別に輝度の減衰量を決定するサブステップ；
(B)  映像情報により指定される画素の輝度を、画素の色別に上記の減衰量だけ低減させ、駆動部への映像信号として設定するサブステップ；及び、
(C)  (a)  モード選択信号がカラーモードを指示するとき、映像情報を駆動部への映像信号として選択し、(b)  モード選択信号がモノクロモードを指示するとき、映像情報により指定される画素の輝度を上記の減衰量だけ低減させた映像信号を駆動部への映像信号として選択するサブステップ；を有しても良い。
そのとき、画素の劣化が激しい色ほど輝度の減衰量を大きく設定することにより、モノクロモードでは三原色間での画素の劣化の差が縮小される。特にその減衰量は三原色間での画素の劣化の差に応じ調節され得る。こうして、三原色間での画素の劣化の差を高精度に制御し、小さく維持できるので、色ずれを効果的に抑制できる。
【００３３】
上記の本発明による色ずれ抑制方法では、映像情報を駆動部への映像信号に変換するステップが、上記とは更に別に、
(A)  その映像情報に乗算され、その映像情報により示される映像の色調を変化させるためのマスキング係数、を算定するサブステップであり、特にモード選択信号がモノクロモードを指示するとき、三原色それぞれに対する劣化情報に基づきマスキング係数を調整するサブステップ；及び、
(B)  上記の映像情報にマスキング係数を乗算し、その乗算結果を駆動部への映像信号として設定するサブステップ；
を有しても良い。その他に、
(A)  上記の映像情報に対するガンマ補正のパラメータを算定するサブステップであり、特にモード選択信号がモノクロモードを指示するとき、三原色それぞれに対する劣化情報に基づきガンマ補正のパラメータを画素の色ごとに変化させるサブステップ；及び、
(B)  算定されたガンマ補正のパラメータに基づき上記の映像情報に対しガンマ補正を実行し、その補正結果を駆動部への映像信号として設定するサブステップ；を有しても良い。
【００３４】
モノクロモードでは、モノクロ映像情報が外部から入力される場合と、カラー映像情報が外部から入力され、ディスプレイ内でモノクロ化される場合と、がある。後者の場合、モノクロ化は一般に、マスキング処理又はガンマ補正で実現される。そのモノクロ化は例えば、三原色の画素の組全体で変換後の輝度比を実質的に一定に設定することで実現される。
本発明による上記の色ずれ抑制方法では、マスキング処理又はガンマ補正によるモノクロ化に画素の劣化が反映される。例えば、画素の劣化が激しい色ほど変換後の輝度が低く設定される。それにより画素の劣化が激しい色ほどモノクロモードでの輝度を低下させ、その色について画素の劣化を抑制できる。
【発明の効果】
【００３５】
本発明によるフルカラーＥＬディスプレイでは、その制御装置が表示パネル上の画素それぞれの劣化を監視する。モノクロモードが選択されるとき、その制御装置は駆動部へ指定すべき画素の輝度を、その画素の劣化に応じ低減させる。それにより、画素の劣化の激しい色ほどモノクロモードでの輝度を低下させ、その色の画素の劣化を抑制できる。
三原色間での画素の劣化の差はカラーモードでは拡大する。しかし、モノクロモードでは縮小する。こうして、本発明による上記の制御装置は、長期間にわたり三原色間での画素の劣化の差の拡大を抑え、ホワイトバランスを良好に維持できる。すなわち、長期間にわたり、色ずれを効果的に抑制できる。
【００３６】
本発明による制御装置では、劣化評価部が次のように画素の劣化を評価しても良い。まず、三原色ごとに画素の通電時間−輝度特性又は通電電気量−輝度特性を示す表又は近似式を記憶しておく。次に、三原色それぞれの画素全体の通電時間又は通電電気量を駆動部への映像信号に基づき計算し、その通電時間又は通電電気量を三原色ごとにフルカラーＥＬディスプレイの製造時から累計する。更に上記の特性表又は近似式から通電時間又は通電電気量の累計に対応する値を三原色ごとに求め、その値を三原色それぞれに対する劣化情報として決定する。こうして、劣化評価部は画素の劣化を三原色ごとに評価できる。その評価は特にフルカラーＥＬディスプレイの製造時、三原色間での画素の劣化の差がわずかなうちから開始されても良い。それにより、三原色間での画素の劣化の差を小さく維持できるので、ホワイトバランスが良好に維持される。
【００３７】
本発明による制御装置では、輝度調整部がモノクロモードで画素の輝度を、その画素の色に対する劣化情報に基づき次のように低減させても良い。
三原色間で劣化情報すなわち減衰率の差が所定の閾値より大きいとき、大きな減衰率を示す色すなわち画素の劣化の激しい色について、モノクロモードではその色の画素の発光を実質的に遮断する。その他に、画素の劣化の激しい色ほどモノクロモードでの輝度を大きく減衰させても良い。それにより、モノクロモードでは三原色間での画素の劣化の差が縮小される。こうして、三原色間での画素の劣化の差を制御し、小さく維持できるので、色ずれを効果的に抑制できる。
【００３８】
本発明による制御装置では、輝度調整部が外部からの映像情報をマスキング処理又はガンマ補正によりモノクロ化しても良い。輝度調整部はそのとき、そのモノクロ化に画素の劣化を反映させる。具体的には、変換後の輝度比を調節し、画素の劣化の激しい色の輝度を零にしても良い。その他に、三原色間での画素の劣化の差に応じ、画素の劣化の激しい色ほどその輝度比を小さく設定しても良い。こうして、画素の劣化の激しい色ほどモノクロモードでの輝度を低下させ、その色の画素の劣化を抑制できる。その結果、モノクロモードでは三原色間での画素の劣化の差が縮小される。こうして、三原色間での画素の劣化の差を小さく維持できるので、色ずれを効果的に抑制できる。
【発明を実施するための最良の形態】
【００３９】
以下、本発明の最適な実施の形態について、図面を参照しつつ説明する。
尚、以下の実施形態はいずれもフルカラー有機ＥＬディスプレイである。本発明はその他にフルカラー無機ＥＬディスプレイとしても、以下の実施形態と同様に実施され得る。
【００４０】
《実施形態１》
図1は、本発明の実施形態１によるフルカラー有機ＥＬディスプレイの構成を示すブロック図である。このフルカラー有機ＥＬディスプレイは、表示パネル1、駆動部2、及び制御装置3Aを有する。
【００４１】
表示パネル1は有機ＥＬ素子であり、例えばガラス製の基板上に複数の層を積み上げて構成される。それらの層には特に、発光層とその発光層を間に挟む電極とが含まれる（図示せず)。発光層と電極との間には更に、電子注入層、電子輸送層、空孔注入層、又は空孔輸送層が含まれても良い。
【００４２】
発光層は、例えばアルミニウム錯体（Alq3）を始めとする低分子系、又はポリフェニレンビニレン（PPV）を始めとする高分子系の有機材料を発光材料として含む。その発光材料、又はその発光材料にごく微量だけ混合されるドーパント色素の種類により、発光層の発する光の色が変化する。
表示パネル1は好ましくは、三色発光方式に従う。すなわち、発光層が赤色発光材料（Ｒ)、青色発光材料（Ｂ)、緑色発光材料（Ｇ）の三種類の発光材料を含み、それぞれが画素を構成する。表示パネル1はその他に、フィルタ方式又は色変換方式に従っても良い。すなわち、発光層が、白色発光材料と三原色のカラーフィルタとの組合せ、又は青色発光材料と赤／緑色蛍光膜との組合せにより画素を構成しても良い。
いずれの方式に従う場合でも、表示パネル1上には三原色の画素が例えばパネルの横方向にＲＧＢＲＧＢ…と並置される。それぞれの画素が様々な輝度で発光することにより、表示パネル1は多種多様な色（フルカラー）の画像を表示する。
【００４３】
発光層を間に挟む電極は好ましくはＩＴＯ（インジウム−スズ−酸化物）製の透明電極であり、その形状は駆動部2の駆動方式により異なる。
パッシブマトリクス方式では電極が複数の細長い板である。例えば、陽極の板がパネルの縦方向に平行に並び、陰極の板がパネルの横方向に平行に並ぶ。陽極と陰極とが間に発光層を挟む。特に、パネル前方から見て、陽極と陰極との交差部分が発光層内の画素を一つ挟む。駆動部2は陽極及び陰極のそれぞれの板の電位を制御し、画素ごとに個別の駆動電圧を印加する。
アクティブマトリクス方式では例えば、陽極が発光層内の画素と同数の薄膜片であり、陰極がパネル全体に拡がる薄膜である。陽極の一片と陰極とが間に発光層内の画素を一つ挟む。すなわち、陽極は画素ごとに独立し、陰極は画素全体で共通である。発光層内の画素はそれぞれ、少なくとも二個ずつ、薄膜トランジスタ（ＴＦＴ）を含む。それらのＴＦＴはその画素に接する陽極の一片に接続される。駆動部2は画素内のＴＦＴのオン／オフを制御し、その画素に接する陽極の一片の電位を制御する。それにより、画素ごとに個別の駆動電圧を印加する。
【００４４】
駆動部2は制御装置3Aから送出される映像信号Nを受信し、その映像信号Nにより指定される画素の輝度を解読する。ここで、映像信号Nは三原色（ＲＧＢ）別にパラレルに伝送される。映像信号Nは例えばディジタル信号であり、ＲＧＢそれぞれの輝度NR、NG、NBを例えば256階調のディジタル情報として表す。映像信号Nはその他にアナログ信号であっても良い。その場合、ＲＧＢそれぞれの輝度NR、NG、NBは例えばアナログ信号のレベルで表される。
駆動部2はＲＧＢそれぞれの輝度NR、NG、NBを例えば駆動電圧値に換算し、その値の駆動電圧をＲＧＢそれぞれの画素に対し印加する。駆動部2はその他に、ＲＧＢそれぞれの輝度NR、NG、NBを駆動電流値に換算し、その値の駆動電流をＲＧＢそれぞれの画素に対し供給しても良い。
【００４５】
制御装置3Aは、例えばチューナ、ディジタルカメラ、又はＤＶＤドライブ等、フルカラー有機ＥＬディスプレイの外部にある装置（図示せず）から映像情報Lを受信し、その映像情報を駆動部2への映像信号Nに変換する。ここで、映像情報Lの送信元の装置はフルカラー有機ＥＬディスプレイと共に同じモバイル電子機器に搭載されても良い。その他に、フルカラー有機ＥＬディスプレイを搭載する電子機器の更に外部にあり、映像情報Lを例えばケーブル又は無線により直接又はネットワークを通し、その電子機器へ送出しても良い。
【００４６】
映像情報Lは、駆動部2への映像信号Nと同様、ＲＧＢ別にパラレルに伝送される。映像情報Lは例えばディジタル信号であり、ＲＧＢそれぞれの輝度LR、LG、LBを例えば256階調のディジタル情報として表す。映像情報Lはその他にアナログ信号であっても良い。その場合、ＲＧＢそれぞれの輝度LR、LG、LBは例えばアナログ信号のレベルで表される。
【００４７】
映像情報Lにより示される画像はカラーでもモノクロでも良い。ここで、映像情報Lがモノクロ画像を示すとき、ＲＧＢそれぞれの輝度LR、LG、LBの間の比LR：LG：LBが一定に維持される。
映像情報Lの送信元の装置は、映像情報Lの送信に先立ち、又は映像情報Lと共に、モード選択信号SELを制御装置3Aへ送出する。映像情報Lがカラー画像を示すとき、モード選択信号SELはカラーモードを制御装置3Aに対し指示する。映像情報Lがモノクロ画像を示すとき、モード選択信号SELはモノクロモードを制御装置3Aに対し指示する。
【００４８】
制御装置3Aの構成は劣化評価部と輝度調整部とに大別される。劣化評価部は通電管理部32と劣化情報決定部33とを含む。輝度調整部は、信号選択部31、発光中止色選択部34、及び発光遮断部35を含む。
【００４９】
劣化評価部は次に述べるように駆動部2への映像信号Nに基づき表示パネル1の画素の劣化をＲＧＢ別に評価し、その評価値をＲＧＢそれぞれに対する劣化情報として決定する。
【００５０】
通電管理部32は駆動部2への映像信号Nを監視する。それにより、表示パネル1のＲＧＢそれぞれの画素全体の通電時間及び通電電気量を、例えば映像信号Nの一フレームごとに計算する。
【００５１】
一フレームでのＲの画素全体の通電時間は例えば次のように算定される。そのフレームの映像信号Nにより指定される輝度がＲの画素のいずれに対しても0であるとき、そのフレームでのＲの画素全体の通電時間は0に設定される。一方、Ｒの画素のいずれかに対し指定される輝度が0より大きいとき、そのフレームでのＲの画素全体の通電時間は（フレーム周期）×（表示パネル1のデューティ比）で計算される。ここで、デューティ比とは一フレーム中の画素一つの動作時間の、一フレーム周期に対する割合をいう。デューティ比は、パッシブマトリクス方式では実質的に1／（表示パネル1の水平走査線数）と等しく、アクティブマトリクス方式では実質的に1と等しい。
一フレームでのＧ又はＢの画素全体の通電時間も同様に決定される。
【００５２】
一フレームでのＲの画素全体の通電電気量は例えば次のように算定される。まず、そのフレームの映像信号NからＲの輝度の最大値を検出し、その輝度の最大値に対応する駆動電流を計算する。ここで、輝度と駆動電流との関係はＲＧＢの画素ごとに予め実験で決定され、その関係を示す表又は近似式が通電管理部32により記憶される。次に、その駆動電流と、そのフレームでのＲの画素全体の通電時間、すなわち（フレーム周期）×（表示パネル1のデューティ比）との積を計算し、その積をそのフレームでのＲの画素全体の通電電気量として決定する。
一フレームでのＧ又はＢの画素全体の通電電気量も同様に決定される。
【００５３】
通電管理部32は更に、一フレームでのＲＧＢそれぞれの画素全体の通電時間及び通電電気量を、フルカラー有機ＥＬディスプレイの製造時から、映像信号Nの全フレームについて累計する。通電管理部32は例えば駆動部2への映像信号Nのフレームごとに上記の累計値を更新する。
【００５４】
例えば駆動部2への映像信号Nのフレームが所定数（例えば200万フレーム）を超えるごとに、劣化情報決定部33は通電管理部32から上記の通電時間及び通電電気量の累計値を受け取る。更に、受け取った累計値のそれぞれに対応する劣化情報を次のように決定する。
劣化情報決定部33は、通電時間−輝度特性表又は通電電気量−輝度特性表を予め記憶する。ここで、それらの特性表に代え、通電時間又は通電電気量に対する劣化の依存性を示す近似式が記憶されても良い。劣化情報決定部33はそれらの特性表又は近似式から、ＲＧＢごとの通電時間又は通電電気量の累計値に対応する値をＲＧＢそれぞれに対する劣化情報として決定する。ここで、その劣化情報は例えば、一定の駆動電圧下での輝度の初期輝度に対する割合（以下、減衰率という）で表される。
【００５５】
劣化評価部はＲＧＢそれぞれに対する劣化情報をパラレルに発光中止色選択部34へ送出する。
発光中止色選択部34はＲＧＢそれぞれに対する劣化情報を比較する。例えば劣化情報が上記の減衰率で表されるとき、発光中止色選択部34はまず、ＲＧＢ間で最小の減衰率と他の二つの減衰率との差を求める。その差が所定の閾値（例えば4％）を超えるとき、発光中止色選択部34はその減衰率を示す色を発光中止色として選択する。特に、二番目に大きい減衰率と最小の減衰率との差がその閾値を超えるとき、最大の減衰率を示す色と二番目に大きい減衰率を示す色との二つが発光中止色として選択される。
【００５６】
発光中止色選択部34は選択された発光中止色を発光遮断部35へ通知する。
発光遮断部35は発光中止色を通知されたとき、外部から入力される映像情報Lの内、発光中止色の輝度を実質的に零に変換する。こうして、表示パネル1のＲＧＢ間での画素の劣化の差がホワイトバランスを崩し始めるとき、発光遮断部35から送出される映像信号MではＲＧＢの一色又は二色の輝度が零に変更される。
【００５７】
発光遮断部35は更に、変換された映像信号Mを信号選択部31へ送出する。
信号選択部31は、外部から映像情報Lとモード選択信号SELとを受信し、発光遮断部35から映像信号Mを受信する。モード選択信号SELがカラーモードを指示するとき、信号選択部31は外部からの映像情報Lを駆動部2への映像信号Nとして選択する。モード選択信号SELがモノクロモードを指示するとき、信号選択部31は発光遮断部35からの映像信号Mを駆動部2への映像信号Nとして選択する。
【００５８】
図2は、本発明の実施形態１による色ずれ抑制方法のフローチャートである。
＜ステップS1＞
映像情報Lの受信に先立ち、モード選択信号SELが受信される。
＜ステップS2＞
続いて、映像情報Lが信号選択部31及び発光遮断部35により受信される。
＜ステップS3＞
発光遮断部35は受信された映像情報Lにより指定される画素の輝度をそれぞれ解読し、特に発光中止色の輝度を零に変更する。こうして変更された映像信号Mは、信号選択部31へ送出される。
【００５９】
＜ステップS4＞
モード選択信号SELがカラーモードを示すとき、処理はステップS5へ進む。モード選択信号SELがモノクロモードを示すとき、処理はステップS6へ分岐する。
＜ステップS5＞
カラーモードでは、信号選択部31が外部から直接入力された映像情報Lを、駆動部2への映像信号Nとして選択する。それにより、外部からの映像情報Lがそのまま、駆動部2へ送出される。
＜ステップS6＞
モノクロモードでは、信号選択部31が発光遮断部35から入力された映像信号Mを、駆動部2への映像信号Nとして選択する。それにより、駆動部2への映像信号Nでは、外部からの映像情報Lの内、発光中止色の輝度が零に変更される。
＜ステップS7＞
駆動部2は、制御装置3Aにより送出される映像信号Nから表示パネル1上の画素それぞれの輝度を解読し、その輝度に対応する駆動電圧をその画素に印加する。それにより表示パネル1上の画素が映像信号Nにより指定される輝度で発光する。
【００６０】
＜ステップS8＞
劣化評価部が、駆動部2への映像信号Nに基づき、表示パネル1上の画素それぞれの劣化を評価する。
図3は、劣化評価部による表示パネル1上の画素それぞれに対する劣化評価方法のフローチャートである。
【００６１】
サブステップSS1：  通電管理部32が一フレームの映像信号Nに基づき、そのフレームについてＲＧＢそれぞれの画素全体での駆動電流の最大値、及びそのフレームでのＲＧＢそれぞれの画素全体の通電時間を計算する。ここで、駆動電流は映像信号Nにより指定される輝度との対応関係から求まる。
そのフレームでのＲＧＢそれぞれの画素全体の通電時間は、次のように算定される。そのフレームの映像信号Nにより指定される輝度が同色の画素のいずれに対しても0であるときは、そのフレームでのその色の画素全体の通電時間が0に設定される。同色の画素のいずれかに対し指定される輝度が0より大きいとき、そのフレームでのその色の画素全体の通電時間は（フレーム周期）×（表示パネル1のデューティ比）で計算される。
【００６２】
サブステップSS2：  通電管理部32はサブステップSS1で計算される駆動電流の最大値と通電時間との積を、そのフレームでのＲＧＢそれぞれの画素全体の通電電気量として計算する：（通電電気量）＝（駆動電流）×（通電時間)。
サブステップSS3：  通電管理部32は、サブステップSS1で計算される通電時間、及びサブステップSS2で計算される通電電気量をＲＧＢ別にフルカラー有機ＥＬディスプレイの製造時から累計し、ＲＧＢそれぞれに対する累計値を記憶する。通電管理部32は駆動部2への映像信号Nのフレームごとに、上記の累計値を更新する。
【００６３】
サブステップSS4：  駆動部2への映像信号Nの入力開始からそのフレームが計数される。そのフレーム数が所定数（例えば200万フレーム）を超えるまでは、処理がサブステップSS1〜SS3のループを反復する。そのフレーム数が所定数を超えるとき、処理がサブステップSS5へ分岐する。
サブステップSS5：  劣化情報決定部33は通電管理部32から上記の通電時間及び通電電気量の累計値を受け取る。劣化情報決定部33は更に、通電時間−輝度特性表又は通電電気量−輝度特性表から、受け取った累計値のそれぞれに対応する劣化情報すなわち減衰率を決定する。こうして、ＲＧＢそれぞれに対する劣化情報がパラレルに発光中止色選択部34へ送出される。
【００６４】
＜ステップS9＞
発光中止色選択部34はＲＧＢそれぞれに対する劣化情報すなわち減衰率を比較する。ＲＧＢ間で最小の減衰率と他の二つの減衰率との差が所定の閾値を超えるとき、発光中止色選択部34はその減衰率を示す色を発光中止色として選択する。
その後、処理はステップS2へ戻る。
【００６５】
本発明の実施形態１では上記の通り、ＲＧＢ間で劣化情報すなわち減衰率の差が所定の閾値より大きいとき、大きな減衰率を示す画素の色、すなわち画素の劣化の激しい色が発光中止色に設定される。更に、モノクロモードでその発光中止色の画素の発光が実質的に遮断される。それにより、その画素の劣化が抑制される。その結果、モノクロモードでは三原色間での画素の劣化の差が縮小される。こうして、三原色間での画素の劣化の差を小さく維持できるので、色ずれを効果的に抑制できる。
【００６６】
《実施形態２》
図4は、本発明の実施形態２によるフルカラー有機ＥＬディスプレイの構成を示すブロック図である。このフルカラー有機ＥＬディスプレイは実施形態１によるものと比べ、制御装置3Bの構成で異なる。その他の構成については、実施形態１と実施形態２とは共通する。従って、図4ではそれら共通の構成要素に対し図1と同じ符号を付す。更に、それら共通の構成要素の説明は実施形態１でのものを援用する。
【００６７】
制御装置3Bは、例えばチューナ、ディジタルカメラ、又はＤＶＤドライブ等、フルカラー有機ＥＬディスプレイの外部にある装置（図示せず）から映像情報Lを受信し、その映像情報を駆動部2への映像信号Nに変換する。ここで、映像情報Lの送信元の装置はフルカラー有機ＥＬディスプレイと共に同じモバイル電子機器に搭載されても良い。その他に、フルカラー有機ＥＬディスプレイを搭載する電子機器の更に外部にあり、映像情報Lを例えばケーブル又は無線により直接又はネットワークを通し、その電子機器へ送出しても良い。
【００６８】
映像情報LはＲＧＢ別にパラレルに伝送される。映像情報Lは例えばディジタル信号であり、ＲＧＢそれぞれの輝度LR、LG、LBを例えば256階調のディジタル情報として表す。映像情報Lはその他にアナログ信号であっても良い。その場合、ＲＧＢそれぞれの輝度LR、LG、LBは例えばアナログ信号のレベルで表される。
【００６９】
映像情報Lにより示される画像はカラーでもモノクロでも良い。ここで、映像情報Lがモノクロ画像を示すとき、ＲＧＢそれぞれの輝度LR、LG、LBの間の比LR：LG：LBが一定に維持される。
映像情報Lの送信元の装置は、映像情報Lの送信に先立ち、又は映像情報Lと共に、モード選択信号SELを制御装置3Aへ送出する。映像情報Lがカラー画像を示すときは、モード選択信号SELはカラーモードを制御装置3Aに対し指示する。映像情報Lがモノクロ画像を示すときは、モード選択信号SELはモノクロモードを制御装置3Aに対し指示する。
【００７０】
制御装置3Bの構成は劣化評価部と輝度調整部とに大別される。劣化評価部は通電管理部32と劣化情報決定部33とを含む。輝度調整部は、信号選択部31、減衰量決定部36、及び三つの減衰器37R、37G、37Bを含む。
【００７１】
劣化評価部は駆動部2への映像信号Nに基づき表示パネル1の画素の劣化をＲＧＢ別に評価し、その評価値をＲＧＢそれぞれに対する劣化情報としてパラレルに減衰量決定部36へ送出する。
減衰量決定部36はＲＧＢそれぞれに対する劣化情報を比較する。例えば劣化情報が上記の減衰率で表されるとき、減衰量決定部36はまず、ＲＧＢ間で最小の減衰率と他の二つの減衰率との差を求める。次に、最小の減衰率を示す色以外の二色に対し、それぞれの減衰率と最小の減衰率との差に応じ、輝度の減衰量を決定する。ここで、輝度の減衰量は例えば映像情報Lの輝度と同じ階調で表される。更に、劣化情報の差が大きいほど、輝度の減衰量は大きく設定される。そのとき例えば、劣化情報の差が10％に達するとき輝度の減衰量が100％に達するように、劣化情報の差と輝度の減衰量とが対応づけられる。
【００７２】
減衰量決定部36はＲＧＢそれぞれに対し決定された減衰量をＲＧＢそれぞれに対する減衰器37R、37G、37Bへ通知する。
減衰器37R、37G、37Bは、外部から入力される映像情報Lにより指定される輝度を、通知された減衰量だけ低減させる。更に、そのように変換された映像信号Mを信号選択部31へ送出する。こうして、表示パネル1のＲＧＢ間での画素の劣化の差がホワイトバランスを崩すとき、減衰器37R、37G、37Bから送出される映像信号Mでは、ＲＧＢの内、画素の劣化の激しい二色の輝度が低減する。特に、その二色の輝度の減衰量は、残り一色との間の画素の劣化の差に応じ決定される。
【００７３】
図5は、本発明の実施形態２による色ずれ抑制方法のフローチャートである。図5では、実施形態１による色ずれ抑制方法と同様なステップに対し図2と同じ符号を付す。更に、それら同様なステップの説明は実施形態１でのものを援用する。
＜ステップS31＞
減衰器37R、37G、37Bはそれぞれ、受信された映像情報Lにより指定されるＲＧＢの輝度をそれぞれ解読し、特に所定の減衰量だけ低減させる。こうして、変更された映像信号Mは信号選択部31へ送出される。
【００７４】
＜ステップS4＞
モード選択信号SELがカラーモードを示すとき、処理はステップS5へ進む。モード選択信号SELがモノクロモードを示すとき、処理はステップS61へ分岐する。
＜ステップS61＞
モノクロモードでは、信号選択部31が減衰器37R、37G、37Bから入力された映像信号Mを駆動部2への映像信号Nとして選択する。それにより、駆動部2への映像信号Nにより指定される輝度が外部からの映像情報Lにより指定される輝度より所定の減衰量だけ低減する。
【００７５】
＜ステップS91＞
減衰量決定部36はまず、ＲＧＢそれぞれの劣化情報すなわち減衰率を比較し、ＲＧＢ間で最小の減衰率と他の二つの減衰率との差を求める。次に、最小の減衰率を示す色以外の二色に対し、それぞれの減衰率と最小の減衰率との差に応じ、輝度の減衰量を決定する。決定されたＲＧＢそれぞれに対する輝度の減衰量はＲＧＢそれぞれに対する減衰器37R、37G、37Bへ設定される。
その後、処理はステップS2へ戻る。
【００７６】
本発明の実施形態２では上記の通り、ＲＧＢ間で画素の劣化の激しい色ほど輝度の減衰量が大きく設定される。それによりモノクロモードではＲＧＢ間での画素の劣化の差が縮小される。特にその減衰量はＲＧＢ間での画素の劣化の差に応じ調節される。こうして、ＲＧＢ間での画素の劣化の差を高精度に制御し、小さく維持できるので、色ずれを効果的に抑制できる。
【００７７】
《実施形態３》
図6は、本発明の実施形態３によるフルカラー有機ＥＬディスプレイの構成を示すブロック図である。このフルカラー有機ＥＬディスプレイは実施形態１によるものと比べ、制御装置3Cの構成で異なる。その他の構成については、実施形態１と実施形態３とは共通する。従って、図6ではそれら共通の構成要素に対し図1と同じ符号を付す。更に、それら共通の構成要素の説明は実施形態１でのものを援用する。
【００７８】
制御装置3Cは、例えばチューナ、ディジタルカメラ、又はＤＶＤドライブ等、フルカラー有機ＥＬディスプレイの外部にある装置（図示せず）から映像情報Lを受信し、その映像情報を駆動部2への映像信号Nに変換する。特に、映像情報Lの送信元の装置からモノクロモードを指示されるとき、制御装置3Cは映像情報Lをモノクロ化する。
ここで、映像情報Lの送信元の装置は、フルカラー有機ＥＬディスプレイと共に同じモバイル電子機器に搭載されても良い。その他に、フルカラー有機ＥＬディスプレイを搭載する電子機器の更に外部にあり、映像情報Lを例えばケーブル又は無線により直接又はネットワークを通し、その電子機器へ送出しても良い。
【００７９】
映像情報LはＲＧＢ別にパラレルに伝送される。映像情報Lは例えばディジタル信号であり、ＲＧＢそれぞれの輝度LR、LG、LBを例えば256階調のディジタル情報として表す。映像情報Lはその他にアナログ信号であっても良い。その場合、ＲＧＢそれぞれの輝度LR、LG、LBは例えばアナログ信号のレベルで表される。
【００８０】
本発明の実施形態３では実施形態１及び２とは異なり、映像情報Lがカラー画像を示す場合のみが想定される。映像情報Lの送信元の装置は、映像情報Lの送信に先立ち又は映像情報Lと共に、モード選択信号SELを制御装置3Cへ送出する。表示パネル1により映像情報Lをフルカラーで表示させるとき、モード選択信号SELはカラーモードを制御装置3Cに対し指示する。表示パネル1により映像情報Lをモノクロで表示させるとき、モード選択信号SELはモノクロモードを制御装置3Cに対し指示する。
【００８１】
制御装置3Cの構成は劣化評価部と輝度調整部とに大別される。劣化評価部は通電管理部32と劣化情報決定部33とを含む。輝度調整部は、ガンマ補正部38A、マスキング処理部39A、及びマスキング係数算定部40Aを含む。
【００８２】
ガンマ補正部38Aは映像情報Lに対しガンマ補正を行う。すなわち、映像情報Lにより指定されるＲＧＢそれぞれの輝度（同じ符号Lで表す）を新たな輝度Kに変換する。それにより、映像情報Lの作成系での入力信号により示される輝度と表示パネル1での実際の輝度との関係を線形に補正する。ここで、ガンマ補正のパラメータは、映像情報Lの作成系の輝度特性及び表示パネル1の輝度特性に応じ、好ましくはＲＧＢ別に設定される。
【００８３】
マスキング処理部39Aはガンマ補正部38Aから入力される映像信号Kに対しマスキング処理を行う。具体的には、ＲＧＢ一組ごとにその輝度の組合せKi（i＝R,G,B）にマスキング係数Mij（i,j＝R,G,B）を乗算し、新たな組合せNiに変換する：Ni＝Σj Mij×Kj（i＝R,G,B)。変換後の輝度の組合せNi（i＝R,G,B）は駆動部2へ映像信号Nとして送出される。
【００８４】
マスキング係数算定部40Aは映像情報Lの送信元の装置からモード選択信号SELを受信する。
モード選択信号SELがカラーモードを指示するとき、マスキング係数算定部40Aはフルカラー表示用マスキング係数を算定し、マスキング処理部39Aに対し設定する。それにより映像情報Lの示すカラー画像の元の色調が表示パネル1上で良好に再現されるように、ガンマ補正後の映像信号Kの色調が表示パネル1の色特性に応じ補正される。
【００８５】
モード選択信号SELがモノクロモードを指示するとき、マスキング係数算定部40Aはモノクロ表示用マスキング係数を算定し、マスキング処理部39Aに対し設定する。それによりＲＧＢの組全体で変換後の輝度比NR：NG：NBが実質的に一定に保たれる。すなわち、駆動部2への映像信号Nがモノクロ化される。
マスキング係数算定部40Aはそのとき特に、変換後の輝度比NR：NG：NBをＲＧＢそれぞれに対する劣化情報すなわち減衰率に応じ調節し、画素の劣化が激しい色ほど比率を低下させる。
【００８６】
具体的にはまず、ＲＧＢ間で減衰率を比較し、最小の減衰率と他の二つの減衰率との差を求める。その差が所定の閾値（例えば4％）を超えるとき、マスキング係数算定部40Aはその減衰率を示す色について、変換後の輝度を0に設定する。特に二番目に大きい減衰率と最小の減衰率との差がその閾値を超えるとき、最大の減衰率を示す色と二番目に大きい減衰率を示す色との二つについて、変換後の輝度が0に設定される。それによりモノクロモードではＲＧＢの内、画素の劣化の激しい色の画素が発光せず、その画素の劣化が抑制される。その結果、モノクロモードではＲＧＢ間での画素の劣化の差が縮小される。こうして、ＲＧＢ間での画素の劣化の差を小さく維持できるので、色ずれを効果的に抑制できる。
【００８７】
マスキング係数算定部40Aはその他に、最小の減衰率を示す色以外の二色に対し、それぞれの減衰率と最小の減衰率との差に応じ、変換後の輝度を決定しても良い。特に最小の減衰率からの差が大きいほど、その色の変換後の輝度は小さく設定される。それによりモノクロモードではＲＧＢ間での画素の劣化の差が縮小される。こうして、ＲＧＢ間での画素の劣化の差を高精度に制御し、小さく維持できるので、色ずれを効果的に抑制できる。
【００８８】
図7は、本発明の実施形態３による色ずれ抑制方法のフローチャートである。図7では、実施形態１による色ずれ抑制方法と同様なステップに対し図2と同じ符号を付す。更に、それら同様なステップの説明は実施形態１でのものを援用する。
＜ステップS11＞
映像情報Lに対し、ガンマ補正が実行される。
【００８９】
＜ステップS12＞
モード選択信号SELがカラーモードを示すとき、処理はステップS13へ進む。モード選択信号SELがモノクロモードを示すとき、処理はステップS14へ分岐する。
＜ステップS13＞
カラーモードでは、マスキング係数算定部40Aがフルカラー表示用マスキング係数を算定する。
＜ステップS14＞
モノクロモードでは、マスキング係数算定部40Aがまず、ＲＧＢそれぞれに対する劣化情報に基づき、変換後の輝度比NR：NG：NBを調整する。次に、その変換後の輝度比をＲＧＢの組全体で一定に維持するように、モノクロ表示用マスキング係数を算定する。
＜ステップS15＞
マスキング係数算定部40Aにより算定されたマスキング係数を用い、マスキング処理部39Aがガンマ補正後の映像信号Kに対しマスキング処理を実行する。マスキング処理後の映像信号Nは駆動部2へ送出される。
【００９０】
本発明の実施形態３では上記の通り、ＲＧＢ間で劣化情報すなわち減衰率の差が所定の閾値より大きいとき、大きな減衰率を示す色すなわち画素の劣化の激しい色について、モノクロモードでの発光が実質的に遮断される。その他に、ＲＧＢ間での画素の劣化の差に応じ、モノクロモードでの輝度が小さく設定されても良い。それにより、画素の劣化の激しい色について、モノクロモードではその色の画素の劣化が抑制される。その結果、モノクロモードではＲＧＢ間での画素の劣化の差が縮小される。こうして、ＲＧＢ間での画素の劣化の差を小さく維持できるので、色ずれを効果的に抑制できる。
【００９１】
《実施形態４》
図8は、本発明の実施形態４によるフルカラー有機ＥＬディスプレイの構成を示すブロック図である。このフルカラー有機ＥＬディスプレイは実施形態３によるものと比べ、制御装置3Dの構成で異なる。その他の構成については、実施形態３と実施形態４とは共通する。従って、図8ではそれら共通の構成要素に対し図6と同じ符号を付す。更に、それら共通の構成要素の説明は実施形態１又は実施形態３でのものを援用する。
【００９２】
制御装置3Dは、例えばチューナ、ディジタルカメラ、又はＤＶＤドライブ等、フルカラー有機ＥＬディスプレイの外部にある装置（図示せず）から映像情報Lを受信し、その映像情報を駆動部2への映像信号Nに変換する。特に、映像情報Lの送信元の装置からモノクロモードを指示されるとき、制御装置3Dは映像情報Lをモノクロ化する。
ここで、映像情報Lの送信元の装置は、フルカラー有機ＥＬディスプレイと共に同じモバイル電子機器に搭載されても良い。その他に、フルカラー有機ＥＬディスプレイを搭載する電子機器の更に外部にあり、映像情報Lを例えばケーブル又は無線により直接又はネットワークを通し、その電子機器へ送出しても良い。
【００９３】
映像情報LはＲＧＢ別にパラレルに伝送される。更に、映像情報Lはディジタル信号であり、ＲＧＢそれぞれの輝度LR、LG、LBを例えば256階調のディジタル情報として表す。映像情報Lはその他にアナログ信号であっても良い。その場合、ＲＧＢそれぞれの輝度LR、LG、LBは例えばアナログ信号のレベルで表される。
【００９４】
本発明の実施形態４では実施形態３と同様、映像情報Lがカラー画像を示す場合のみが想定される。映像情報Lの送信元の装置は、映像情報Lの送信に先立ち、又は映像情報Lと共に、モード選択信号SELを制御装置3Dへ送出する。表示パネル1により映像情報Lをフルカラーで表示させるとき、モード選択信号SELはカラーモードを制御装置3Dに対し指示する。映像情報Lをモノクロで表示させるとき、モード選択信号SELはモノクロモードを制御装置3Dに対し指示する。
【００９５】
制御装置3Dの構成は劣化評価部と輝度調整部とに大別される。劣化評価部は通電管理部32と劣化情報決定部33とを含む。輝度調整部は、ガンマ補正部38B、マスキング処理部39B、及びパラメータ算定部40Bを含む。
【００９６】
ガンマ補正部38Bは映像情報Lに対しガンマ補正を行う。すなわち、映像情報Lにより指定されるＲＧＢそれぞれの輝度Lを新たな輝度Kに変換する。その変換式はガンマ補正のパラメータγにより決定される。ここで、ガンマ補正のパラメータγはパラメータ算定部40Bにより、映像情報Lの作成系の輝度特性及び表示パネル1の輝度特性に応じ、ＲＧＢ別に設定される。
ここで、その設定は特にモード選択信号SELの示すモードに応じ異なる。カラーモードでは、映像情報Lの作成系での入力信号により示される輝度と表示パネル1での実際の輝度との関係が線形に補正される。一方、モノクロモードでは例えば、変換後のＲＧＢそれぞれの輝度Ki（i＝R,G,B）について、ＲＧＢの画素の組全体で輝度比KR：KG：KBが実質的に一定に保たれる。すなわち、ガンマ補正によるモノクロ化が実現される。
【００９７】
マスキング処理部39Bは、パラメータ算定部40Bからの制御信号CTLに従い、次のように動作する。
制御信号CTLがマスキング処理の実行を指示するとき、マスキング処理部39Bはガンマ補正部38Bから入力される映像信号Kに対しマスキング処理を行う。具体的には、ＲＧＢ一組ごとにその輝度の組合せKi（i＝R,G,B）にマスキング係数Mij（i,j＝R,G,B）を乗算し、新たな組合せNiに変換する：Ni＝Σj Mij×Lj（i＝R,G,B)。変換後の輝度の組合せNi（i＝R,G,B）は駆動部2へ映像信号Nとして送出される。
【００９８】
制御信号CTLがマスキング処理の停止を指示するとき、マスキング処理部39Bはガンマ補正部38Bから入力される映像信号Kをそのまま、駆動部2へ送出する。その他に、ＲＧＢの輝度の組合せKi（i＝R,G,B）にマスキング係数Mij（i,j＝R,G,B）として単位行列δij（＝1（i＝j)、＝0（i≠j)）を乗算し、実質的に同じ組合せNiに変換しても良い：Ni＝Σj δij×Kj＝Ki（i＝R,G,B)。変換後の輝度の組合せNi（i＝R,G,B）は駆動部2へ映像信号Nとして送出される。
【００９９】
パラメータ算定部40Bは映像情報Lの送信元の装置からモード選択信号SELを受信する。
モード選択信号SELがカラーモードを指示するとき、パラメータ算定部40Bはフルカラー表示用のガンマ補正のパラメータγを算定し、ガンマ補正部38Bに対し設定する。それによりガンマ補正後の映像信号Kでは輝度の階調が映像情報Lでの輝度の階調から変更され、映像情報Lの作成系での入力信号により示される輝度と表示パネル1での実際の輝度との関係が線形に補正される。その結果、映像情報Lの作成系での入力信号により示される元の輝度の階調が表示パネル1上で良好に再現される。
パラメータ算定部40Bは更に、制御信号CTLによりマスキング処理部39Bに対しマスキング処理の実行を指示する。それにより、ガンマ補正後の映像信号Kにより示される色調が表示パネル1の色特性に応じ補正され、映像情報Lの作成系での入力信号により示されるカラー画像の元の色調が表示パネル1上で良好に再現される。
【０１００】
モード選択信号SELがモノクロモードを指示するとき、パラメータ算定部40Bはモノクロ表示用のガンマ補正のパラメータγを算定し、ガンマ補正部38Bに対し設定する。それにより、ＲＧＢの画素の組全体で変換後の輝度比KR：KG：KBが実質的に一定に保たれる。
パラメータ算定部40Bは更に、制御信号CTLによりマスキング処理部39Bに対しマスキング処理の停止を指示する。それにより、ガンマ補正後の映像信号Kがそのまま駆動部2へ送出される。こうして、駆動部2への映像信号Nがモノクロ化される。
【０１０１】
パラメータ算定部40Bはモノクロ化処理時、特に、変換後の輝度比KR：KG：KBをＲＧＢそれぞれに対する劣化情報すなわち減衰率に応じ調節し、画素の劣化の激しい色ほど比率を低下させる。
【０１０２】
具体的な処理は実施形態３と同様である。
パラメータ算定部40Bは、ＲＧＢ間で減衰率を比較し、最小の減衰率と他の二つの減衰率との差を求める。その差が所定の閾値（例えば4％）を超えるとき、パラメータ算定部40Bはその減衰率を示す色について、変換後の輝度を0に設定する。特に二番目に大きい減衰率と最小の減衰率との差がその閾値を超えるとき、最大の減衰率を示す色と二番目に大きい減衰率を示す色との二つについて変換後の輝度が0に設定される。それにより、モノクロモードではＲＧＢの内、画素の劣化の激しい色の画素が発光せず、その画素の劣化が抑制される。その結果、モノクロモードではＲＧＢ間での画素の劣化の差が縮小される。こうして、ＲＧＢ間での画素の劣化の差を小さく維持できるので、色ずれを効果的に抑制できる。
【０１０３】
パラメータ算定部40Bはその他に、最小の減衰率を示す色以外の二色に対し、それぞれの減衰率と最小の減衰率との差に応じ変換後の輝度を決定しても良い。特に、最小の減衰率からの差が大きいほど、その色の変換後の輝度は小さく設定される。それにより、モノクロモードではＲＧＢ間での画素の劣化の差が縮小される。こうして、ＲＧＢ間での画素の劣化の差を高精度に制御し、小さく維持できるので、色ずれを効果的に抑制できる。
【０１０４】
図9は、本発明の実施形態４による色ずれ抑制方法のフローチャートである。図9では、実施形態３による色ずれ抑制方法と同様なステップに対し図7と同じ符号を付す。更に、それら同様なステップの説明は実施形態３でのものを援用する。
＜ステップS21＞
モード選択信号SELがカラーモードを示すとき、処理はステップS22へ進む。モード選択信号SELがモノクロモードを示すとき、処理はステップS24へ分岐する。
【０１０５】
＜ステップS22＞
カラーモードでは、パラメータ算定部40Bはフルカラー表示用のガンマ補正のパラメータγを算定し、ガンマ補正部38Bに対し設定する。
＜ステップS23＞
パラメータ算定部40Bは更に、制御信号CTLによりマスキング処理部39Bに対しマスキング処理の実行を指示する。
【０１０６】
＜ステップS24＞
モノクロモードでは、パラメータ算定部40Bはモノクロ表示用のガンマ補正のパラメータγを算定し、ガンマ補正部38Bに対し設定する。特に、変換後の輝度比KR：KG：KBをＲＧＢそれぞれに対する劣化情報すなわち減衰率に応じ調節し、画素の劣化の激しい色ほど比率を低下させる。
＜ステップS25＞
パラメータ算定部40Bは更に、制御信号CTLによりマスキング処理部39Bに対しマスキング処理の停止を指示する。
【０１０７】
＜ステップS26＞
ガンマ補正部38Bが映像情報Lに対しガンマ補正を行う。ここで、パラメータ算定部40Bにより設定されたガンマ補正のパラメータγが使用される。
【０１０８】
＜ステップS27＞
制御信号CTLがマスキング処理の実行を指示するとき、マスキング処理部39Bはガンマ補正部38Bから入力される映像信号Kに対しマスキング処理を行う。具体的には、ＲＧＢ一組ごとにその輝度の組合せKi（i＝R,G,B）にマスキング係数Mij（i,j＝R,G,B）を乗算し、その乗算結果Ni＝Σj Mij×Lj（i＝R,G,B）を駆動部2へ映像信号Nとして送出する。
制御信号CTLがマスキング処理の停止を指示するとき、マスキング処理部39Bはガンマ補正部38Bから入力される映像信号Kをそのまま、又はマスキング係数として単位行列を乗算したものを、駆動部2へ映像信号Nとして送出する。
【０１０９】
本発明の実施形態４では上記の通り、ＲＧＢ間で劣化情報すなわち減衰率の差が所定の閾値より大きいとき、大きな減衰率を示す色すなわち画素の劣化の激しい色について、モノクロモードではその色の画素の発光が実質的に遮断される。その他に、ＲＧＢ間での画素の劣化の差に応じモノクロモードでの輝度が小さく設定されても良い。それにより、画素の劣化の激しい色について、モノクロモードではその色の画素の劣化が抑制される。その結果、モノクロモードではＲＧＢ間での画素の劣化の差が縮小される。こうして、ＲＧＢ間での画素の劣化の差を小さく維持できるので、色ずれを効果的に抑制できる。
【産業上の利用可能性】
【０１１０】
本発明によるフルカラーＥＬディスプレイは、画素の劣化の激しい色ほどモノクロモードでの輝度を低下させ、その色の画素の劣化を抑制する。それにより、長期間にわたり三原色間での画素の劣化の差の拡大を抑え、ホワイトバランスを良好に維持できる。すなわち、長期間にわたり色ずれを効果的に抑制できる。それ故、本発明によるフルカラーＥＬディスプレイは産業上の利用可能性が高い。
【図面の簡単な説明】
【０１１１】
【図１】本発明の実施形態１によるフルカラー有機ＥＬディスプレイの構成を示すブロック図である。
【図２】本発明の実施形態１による色ずれ抑制方法のフローチャートである。
【図３】本発明の実施形態について、表示パネル1上の画素それぞれに対する劣化評価方法のフローチャートである。
【図４】本発明の実施形態２によるフルカラー有機ＥＬディスプレイの構成を示すブロック図である。
【図５】本発明の実施形態２による色ずれ抑制方法のフローチャートである。
【図６】本発明の実施形態３によるフルカラー有機ＥＬディスプレイの構成を示すブロック図である。
【図７】本発明の実施形態３による色ずれ抑制方法のフローチャートである。
【図８】本発明の実施形態４によるフルカラー有機ＥＬディスプレイの構成を示すブロック図である。
【図９】本発明の実施形態４による色ずれ抑制方法のフローチャートである。
【図１０】従来のフルカラーＥＬディスプレイの画素劣化補償システムを示すブロック図である。
【符号の説明】
【０１１２】
L         外部から入力される映像情報
M         発光遮断部35から入力される映像信号
N         駆動部2への映像信号
SEL       モード選択信号
【図１】
2005037783.tif 000003
【図２】
2005037783.tif 000004
【図３】
2005037783.tif 000005
【図４】
2005037783.tif 000006
【図５】
2005037783.tif 000007
【図６】
2005037783.tif 000008
【図７】
2005037783.tif 000009
【図８】
2005037783.tif 000010
【図９】
2005037783.tif 000011
【図１０】
2005037783.tif 000012